(57)【特許請求の範囲】
【請求項１】
クロスビームに沿って移動する丸鋸とルータが装着されたヘッドと、前記クロスビームと直交するように装着されたテーブル移動用レールで移動するテーブル台とからなり、該テーブル台にサイディングボードを装着して加工する加工装置において、前記サイディングボードの所定の位置に形成される四角な枠の４辺にそれぞれ順次前記丸鋸で、前記四角な枠の一辺毎に複数回ずつ切り込みを入れて縦又は横の溝を形成する工程と、前記四角な枠の４辺の縦又は横の溝にそれぞれ順次前記ルータを挿入しで周囲を加工する工程と、前記丸鋸で加工した縦又は横の溝の交叉位置に形成される切り落とし部を前記ルータで削除する工程とからなることにより、前記四角な枠を切り離すことを特徴とするサイディングボードの加工方法。
【請求項２】
前記サイディングボードの端部に中央に形成される切り欠きの３辺にそれぞれ順次前記丸鋸で、前記切り欠きの一辺毎に複数回ずつ切り込みを入れて縦又は横の溝を形成する工程と、前記丸鋸で加工した縦又は横の溝の交叉位置に形成される切り落とし部を前記ルータで削除する工程とからなることを特徴とする請求項１記載のサイディングボードの加工方法。
【請求項３】
前記サイディングボードの側部に形成される切り欠きの２辺にそれぞれ順次前記丸鋸で、前記切り欠きの一辺毎に複数回ずつ切り込みを入れて縦又は横の溝を形成する工程と、前記丸鋸で加工した縦又は横の溝の交叉位置に形成される切り落とし部を前記ルータで削除する工程とからなることを特徴とする請求項１記載のサイディングボードの加工方法。
【請求項４】
前記サイディングボードの側部に形成される切り欠きの２辺にそれぞれ順次前記丸鋸で、前記切り欠きの一辺毎に複数回ずつ切り込みを入れて縦又は横の溝を形成する工程と、前記切り欠きの縦又は横の溝にそれぞれ順次前記ルータを挿入しで周囲を加工する工程と、前記丸鋸で加工した縦又は横の溝の交叉位置に形成される切り落とし部を前記ルータで削除する工程とからなることを特徴とする請求項１記載のサイディングボードの加工方法。
【発明の詳細な説明】
【技術分野】
【０００１】
本発明は、サイディングボードの所定の位置に所定の幅又は長さの四角なくり抜き又は所定の端部に切り欠きを形成するサイディングボードの加工方法に関するものである。
【背景技術】
【０００２】
従来、サイディングボード１は、図９に示すように、母材１ａの上に多数の長方形の硬質の焼結板１ｂを縦及び横に固着したもので、非常に硬質であるため、図１０に示すように、サイディングボード１の中央部分に窓抜き１ｃを形成したり、図１１に示すように、端部に切り欠き１ｄ又は１ｅを形成する場合、ＮＣルータで切削をしようとすると、現在ＮＣルータに使用している刃物では、この刃物の先端に刃がないため、窓抜き１ｃを形成することは非常に困難であり、又、切り欠き１ｄ又は１ｅを形成する場合にも簡単に加工することはできないという問題があった。
【先行技術文献】
【特許文献】
【０００３】
【特許文献１】特願２０１２−１４２１６８
【発明の概要】
【発明が解決しようとする課題】
【０００４】
解決しようとする問題点は、サイディングボードは、非常に硬質であるため、窓抜きをすることは非常に困難であり、又、切り欠きを加工する場合にも簡単に加工することはできないという問題があった。
【課題を解決するための手段】
【０００５】
本発明は、クロスビームに沿って移動する丸鋸とルータが装着されたヘッドと、前記クロスビームと直交するように装着されたテーブル移動用レールで移動するテーブル台とからなり、該テーブル台にサイディングボードを装着して加工する加工装置において、前記サイディングボードの所定の位置に形成される四角な枠の４辺にそれぞれ順次前記丸鋸で、前記四角な枠の一辺毎に複数回ずつ切り込みを入れて縦又は横の溝を形成する工程と、前記四角な枠の４辺縦又は横の溝にそれぞれ順次前記ルータを挿入しで周囲を加工する工程と、前記丸鋸で加工した縦又は横の溝の交叉位置に形成される切り落とし部を前記ルータで削除する工程とからなるものである。
【発明の効果】
【０００６】
本発明では、サイディングボードの所定の位置に形成される四角な枠の４辺にそれぞれ順次前記丸鋸で、四角な枠の一辺毎に複数回ずつ切り込みを入れて縦又は横の溝を形成し、四角な枠の４辺の縦又は横の溝にそれぞれ順次前記ルータを挿入しで周囲を加工し、又、丸鋸で加工した縦又は横の溝の交叉位置に形成される切り落とし部を前記ルータで削除することにより、サイディングボードに四角な切り抜きが綺麗に形成されるという利点がある。
【図面の簡単な説明】
【０００７】
【図１】図１は本発明の実施例のサイディングボードの加工装置の平面図である。
【図２】図２は図１のサイディングボードの加工装置の側面図である。
【図３】図３は図１のサイディングボードの加工装置の左側面図である。
【図４】図４は図１のサイディングボードの加工装置の丸鋸で加工するサイディングボードの加工方法を示した図である。
【図５】図５は図４の次の工程を示した図図である。
【図６】図６は図５のさらに次の工程を示した図である。
【図７】図７は丸鋸で加工したサイディングボードの加工面を示した図である。
【図８】図８は図１のサイディングボードの四角いくり抜きの角をルータで加工する状態を示した図である。
【図９】図９はサイディングボードの平面図である。
【図１０】図１０はサイディングボードに四角なくり抜きを形成した平面図である。
【図１１】図１１は図９のサイディングボードの辺に切り欠きを形成した図である。
【発明を実施するための形態】
【０００８】
本発明では、丸鋸でサイディングボードの所定の位置に形成される四角な枠の４辺の一辺毎に複数回ずつ切り込みを入れて縦又は横の溝を形成する工程と、前記四角な枠の４辺の縦又は横の溝にそれぞれ順次前記ルータを挿入しで周囲を加工する工程と、前記丸鋸で加工した縦又は横の溝の交叉位置に形成される切り落とし部を前記ルータで削除する工程とからなるものである。
【実施例】
【０００９】
図１は本発明の実施例の加工装置の平面図、図２は図１の加工装置の右側面図、図３は図１の加工装置の左側面図で、図２に示すように、下部にルータフレーム１が設置され、このルータフレーム１の両側に支柱２が固着され、この支柱２の頂部にクロスビーム３が装着され、クロスビーム３の前面にヘッド横移動レール４が装着され、ヘッド横移動レール４にヘッド支持部材５が横移動可能に支持され、ヘッド支持部材５にヘッド上下移動用モータ６が装着され、又、ヘッド支持部材５の前面に昇降用レール７が固着され、昇降用レール７にベアリング８が係合され、ベアリンク８はヘッド９に固着され、又、丸鋸１２は旋回用モータ１０で旋回され、さらに、切断用モータ１１で回転される丸鋸１２及びルータ１３が装着され、ルータ１３はルータ昇降用シリンダ１４で昇降される。
【００１０】
さらに、支柱２の間のルータフレーム１の上にテーブル台１５が装着され、テーブル台１５の側部にテーブル移動用レール１７とテーブル移動用ラック１６が固着され、テーブル移動用レール１７にテーブルベアリング１８が係合され、テーブルベアリング１８は吸着テーブル１９に固着され、又、吸着テーブル１９を移動するテーブル移動用モータ２０は吸着テーブル１９に固着され、吸着テーブル１９の移動方向の端部にサイディングボードの縦押しシリンダ２１が装着されている。
【００１１】
このように構成された本実施例のサイディングボードの加工装置では、サイディングボード２２を吸着テーブル１９の上に位置決めすると、図４に示すように、サイディングボード２２の所定の位置に形成される四角な枠２２ａの横の一辺に丸鋸１２を入れて横の一辺を丸鋸１２で切り、さらに、丸鋸１２の切断位置の隣に再び丸鋸１２で切断加工を複数回繰り返すことにより、図６に示すようにルータ１３が挿入される横の溝２２ｃが形成され、又、図５に示すように、四角な枠２２ａの縦の一辺に丸鋸１２を入れて縦の一辺を丸鋸１２で切り、さらに、丸鋸１２の切断位置の隣に再び丸鋸１２で切断加工を複数回繰り返すことにより、図７に示すようにルータ１３が挿入される縦の溝２２ｄが形成され、同様に、横の溝２２ｃに対向した位置に横の溝２２ｅが形成され、縦の溝２２ｄに対向した位置に縦の溝２２ｆが形成される。
【００１２】
このように形成された四角な枠２２ａの横の溝２２ｃ、２２ｅ及び縦の溝２２ｄ、２２ｆが交叉する４つの角に丸鋸１２では切断されない部分２２ｇが図８に示すように残るので、ルータ１３で切削することにより、四角な枠２２ａをきれいに形成することができる。
【００１３】
又、図１１に示すように、切り欠き１ｄを形成する場合には、横の溝２２ｃと縦の溝２２ｄ、２２ｆを形成すれば良いし、さらに、切り欠き１ｅを形成する場合には、横の溝２２ｃと縦の溝２２ｄ又は２２ｆを形成すれば良い。
【産業上の利用可能性】
【００１４】
なお、サイディングボード２２に形成される横の溝２２ｃ、２２ｅ及び縦の溝２２ｄ、２２ｆのそれぞれの幅はルータが挿入される幅で、丸鋸１２で切断される回数は２回〜３回程度で、その回数は丸鋸１２の厚さで決定される。又、溝２２ｃ、２２ｅ及び縦の溝２２ｄ、２２ｆが長いサイディングボード２２では、丸鋸１２で溝２２ｃ、２２ｅ又は縦の溝２２ｄ、２２ｆが形成され、ルータで角が切削される。
【符号の説明】
【００１５】
１            ルータフレーム
２            支柱
３            クロスビーム
４            ヘッド横移動レール
５            ヘッド支持部材
６            上下移動用モータ
７            昇降用レール
８            ベアリング
９            ヘッド
１０            旋回用モータ
１１            切断用モータ
１２            丸鋸
１３            ルータ
１４            昇降用シリンダ
１５            テーブル台
１６            テーブル移動用レール
１７            テーブル移動用ラック
１８            テーブルベアリング
１９            吸着テーブル
２０            テーブル移動用モータ
２１            縦押しシリンダ
２２            サイディングボード
【図１】
0005749204.tif 000002
【図２】
0005749204.tif 000003
【図３】
0005749204.tif 000004
【図４】
0005749204.tif 000005
【図５】
0005749204.tif 000006
【図６】
0005749204.tif 000007
【図７】
0005749204.tif 000008
【図８】
0005749204.tif 000009
【図９】
0005749204.tif 000010
【図１０】
0005749204.tif 000011
【図１１】
0005749204.tif 000012